(57)【要約】【課題】  本発明は、即座に色の調整が可能で、小型化及び高い保護性を有する色調変換装置及びそれを用いた撮影装置を提供する。【解決手段】  本発明は、撮影機能を備え、被写体を視認する確認部と、前記確認部から視認した前記被写体をフィルムに感光させるための感光レンズとを有する撮影装置に用いられるとともに色調を変換するための色調変換装置であって、前記撮影装置に着脱可能な本体と、前記感光レンズと前記被写体との間に配置され、前記フィルムの色彩を調節するカラー透過材と、前記本体に可動可能に形成され、複数の前記カラー透過材を可動可能に保持する可動保持機構とを有する色調変換装置を提供する。【選択図】  図１
2005043846.tif 000002
【特許請求の範囲】
【請求項１】
撮影機能を備え、被写体を視認する確認部と、前記確認部から視認した前記被写体をフィルムに感光させるための感光レンズとを有する撮影装置に用いられるとともに色調を変換する色調変換装置であって、
前記撮影装置に着脱可能な本体と、
前記感光レンズと前記被写体との間に配置され、前記フィルムの色彩を調節するカラー透過材と、
前記本体に可動可能に形成され、複数の前記カラー透過材を可動可能に保持する可動保持機構とを有する色調変換装置。
【請求項２】
前記可動保持機構は、複数の前記カラー透過材を重ねて収納することを特徴とする請求項１記載の色調変換装置。
【請求項３】
被写体を撮影する撮影装置において、
被写体を視認する確認部と、
前記確認部から視認した前記被写体をフィルムに感光させるための感光レンズと、
前記感光レンズと前記被写体との間に配置され、前記フィルムの色彩を調節するカラー透過材と、
前記撮影装置に可動可能に形成され、複数の前記カラー透過材を可動可能に保持する可動保持機構とを有する撮影装置。
【発明の詳細な説明】
【発明の詳細な説明】
【技術分野】
【０００１】  本発明は色調変換装置及びそれに用いた撮影装置に係り、特に、撮影時の色調を変換する色調変換装置に関する。本発明は、例えば、フィルム付きレンズ、カメラ、ビデオカメラなどに好適である。
【背景技術】
【０００２】  近年の高機能且つコンパクト化となりつつある電子機器に伴い、カメラなどの電子機器も、高機能でありながらコンパクトである必要がある。カメラなどの撮影装置は、一般的に感光レンズからの光を感光フィルムに露光することで被写体を感光フィルムに記録している。かかる被写体の色調補正を行いたい場合は、感光レンズと被写体との間にカラーレンズを挿入する。それにより、被写体はカラーレンズと同様の色に補正される。かかる方法は、パソコンなどの画像編集装置を用いることがないので容易且つ短時間で色調の調節ができる長所がある。このカラーレンズの挿入方法は、一般的に撮影レンズの枠などの凸部又は凹部などとカラーレンズの相対した凹凸部とを嵌め合わせ、カラーレンズを撮影レンズの前に固定し、撮影レンズと被写体の間に挿入している。
【発明が解決しようとする課題】
【０００３】  しかし、従来のカラーレンズは、撮影レンズの前に直接嵌め込むため、一色ずつしかカラーレンズを嵌め込むことができなかった。そのため、シャッターチャンスに遭遇しても、予め嵌め込んだ色でしか撮影ができず、自分の表現したい色が出せなかった。つまり、撮影者は瞬間的に色を変更することができないという問題点を有していた。
【０００４】  更には、使用者の使うカラーレンズは大抵、一色のみではないため、持ち運びの際には、複数のカラーレンズを運ぶ必要があり、持ち運びには不便であった。そのため、持ち運ぶ際には、使用者は、まとめてケースに入れる方法が考えられるが、カラーレンズを傷つけないために係るケースの内部は、軟らかい素材で一つずつカラーレンズを保護する必要があり、ケース自体も嵩張って持ち運びには不便であった。
【課題を解決するための手段】
【０００５】  そこで、本発明は、上記課題を解決する新規かつ有用な色調変換装置及びそれを用いた撮影装置を提供することを例示的な概括的目的とする。
【０００６】  より特定的には、即座に色の調整が可能で、小型化及び高い保護性を有する色調変換装置及びそれを用いた撮影装置を提供することを例示目的とする。
【０００７】  上記目的を達成するために、本発明の色調変換装置は、撮影機能を備え、被写体を視認する確認部と、前記確認部から視認した前記被写体をフィルムに感光させるための感光レンズとを有する撮影装置に用いられるとともに色調を変換する色調変換装置であって、前記撮影装置に着脱可能な本体と、前記感光レンズと前記被写体との間に配置され、前記フィルムの色彩を調節するカラー透過材と、前記本体に可動可能に形成され、複数の前記カラー透過材を可動可能に保持する可動保持機構とを有する。かかる色調変換装置によれば、色調変換装置は可動保持機構を有しているため、複数の異なった色のカラー透過材を短時間で変更することができる。それにより、色調変換装置が装着された撮影装置は、シャッターチャンスなどに遭遇した場合でも瞬時に色の調節を行うことができ撮影することが可能となる。
【０００８】  前記可動保持機構は、複数の前記カラー透過材を重ねて収納してもよい。かかる可動保持機構によれば、カラー透過材を重ねて収納するので、各カラー透過材が外部から受ける外傷や細かな傷などを防止し、各カラー透過材を保護することができる。更に、カラー透過材を重ねることで、色調変換装置自体を小型化にすることができ、携帯性を向上させることができる。
【０００９】  本発明の別の側面としての撮影装置は、被写体を撮影する撮影装置において、被写体を視認する確認部と、前記確認部から視認した前記被写体をフィルムに感光させるための感光レンズと、前記感光レンズと前記被写体との間に配置され、前記フィルムの色彩を調節するカラー透過材と、前記撮影装置に可動可能に形成され、複数の前記カラー透過材を可動可能に保持する可動保持機構とを有する。かかる撮影装置によれば、可動保持機構を有するため、複数の異なった色のカラー透過材を短時間で変更することができる。それにより、シャッターチャンスなどに遭遇した場合でも、瞬時に色の調節を行い撮影することが可能となる。
【００１０】  本発明の他の目的と更なる特徴は、以下、添付図面を参照して説明される実施態様において明らかになるであろう。
【発明を実施するための最良の形態】
【００１１】  以下、添付図面を参照して、本発明の例示的一態様としての色調変換装置について説明する。但し、本発明はこれらの実施態様に限定するものではなく、本発明の目的が達成される範囲において、各構成要素が代替的に置換されてもよい。ここで、図１は、第１の実施例である色調変換装置１００の斜視図である。図２は、色調変換装置１００の正面図である。図３は、色調変換装置１００の背面図である。図４は、色調変換装置１００の可動保持機構１８０の移動を示す平面図である。図６は、色調変換装置１００を固定した撮影装置の斜視図である。【００１２】  図１を参照するに、本発明の第１の実施例である色調変換装置１００は、撮影する画像の色調を変化させる。色調変換装置１００は、本体１１０と、可動保持機構１８０とを有する。【００１３】  本体１１０は、カラー透過部１３０と、固定部１４０とを有しており、撮影する画像の色調を変化させるとともに、カラー透過部１３０を保護する機能をもつ。本体１１０は、正面から眺めると四角形状の形であり、かかる平面上に切り込み部１５０を有する。切り込み部１５０は、水平方向に延びる３本の切り込み１５１、１５２及び１５３を有しており、後述するカラー透過部１３０の一部を突出させる切り込みとして機能する。また、切り込み１５１、１５２及び１５３は、それぞれ平行して形成される。切り込み部１５０は、カラー透過部１３０の一部を突出させることにより、カラー透過部１３０が切り込み部１５０の切り込み方向に移動するよう保持している。また本実施例で本体１１０は、四角形状であるとしたが、上述した本体１１０の機能を達成することができれば、その形状及び素材は変更可能である。例えば、円形状、楕円形状、矩形状、多角形状などの様々な形状に変更することができる。更に、切り込み部１５０もカラー透過部１３０の移動方向に応じて、変更可能である。【００１４】  カラー透過部１３０は、撮影する画像の色調を変換する。カラー透過部１３０は、図５に示すように、フレーム１３１と、カラーレンズ１３６とを有する。ここで図５は、カラー透過部１３０を示す図である。【００１５】  フレーム１３１は、カラーレンズ１３６を固定する機能を有し、カラーレンズ１３６の側面にレンズ保持部分１３２と、フレーム１３１下方に凸部１３３とを有する。フレーム１３１は、四角形状の下端中央部分を切り欠きされた形状であって、かかる切り欠き部分に対して左端に凸部１３３を有し、右端にレンズ保持部分が１３２を有している。レンズ保持部分１３２は、本実施例では、例えば、カラーレンズ１３６の側面を囲むように固定される。そのためレンズ保持部分１３２は、カラーレンズ１３６の形状に依存して形成される。例えば、カラーレンズ１３６が楕円形状であれば、かかる形状は楕円のカラーレンズ１３６を固定するような形状になる。ここで固定とは、カラーレンズ１３６の側面を囲むように固定する以外にも、一点または複数の点でカラーレンズ１３６を固定する意味も含む。凸部１３３は、切り込み部１５０に差し込まれ、切り込み部１５０と協同してフレーム１３１の移動方向を制限する。そのため、凸部１３３は、切り込み部１５０の短手方向の長さより小さく形成される。凸��１３３は、使用者がカラー透過部１３０を本体１１０から出し入れするためのもので、使用者は凸部１３３を左右に移動させることにより、カラー透過部１３０を出し入れする。そのため、凸部１３３は、フレーム１３１の下端や側面に形成してもよい。更に、使用者が本体１１０からカラー透過部１３０を出し入れする機能を達成することができれば、凸部１３３及び切り込み部１５０等の組み合わせでなくてもよい。例えば、かかる機構は、スライド式以外にもダイヤル式及びボタン式などにも変更可能である。【００１６】  カラーレンズ１３６は、図５に示すように、撮影する被写体の色をレンズの色に補正する。本実施例において、カラーレンズ１３６は、赤、緑及び黄色の三色のレンズを有しているが適宜変更可能である。また、カラーレンズ１３６の素材は、光を透過できる素材であれば適応可能であり、その代表的な例としてプラスチック、ガラス及びフィルムなどがあげられる。本実施例は、カラーレンズ１３６にプラスチック素材のカラーレンズ１３６を用いており、カラーフィルタを用いる場合には、カラーフィルタに張力を与えて、引っ張るように固定する。かかるカラーフィルタを用いる場合は、カラーフィルタを巻いて収納することも可能である。【００１７】  固定部１４０は、カラー透過部１３０を本体１１０に移動可動に保持する。固定部１４０は、図１に示すように本体１１０の上面部１４１と下面部１４２と背面部１４３とを有する。上面部１４１、下面部１４２及び背面部１４３は、カラー透過部１３０の落下を防止するために設けられている。【００１８】  可動保持機構１８０は、本体１１０を撮影装置に固定する。可動保持機構１８０は、弾性接続部１８２と、固定板１８５とを有する。弾性接続部１８２は、本体１１０と固定板１８５とを弾性的に接続する。この場合、本発明では、弾性接続部１８２は、バネを用いており、本体１１０と固定板１８５とを開閉自在に接続されている。弾性接続部１８２は、その他の弾性部材も適用可能であり、弾性部材にゴムを用いてもよい。固定板１８５は、Ｌ字に形成されて、Ｌ字の一端を弾性接続部１８２を介して本体１１０に接続している。固定部１８５は撮影装置に接触する接触箇所１８１にスポンジなどの弾性素材を接触部分に配置してもよい。可動保持機構１８０は、弾性接続部１８２及び固定部１８５を用いなくても、ゴムなどの弾性部材で撮影装置に直接、色調変換装置１００を固定してもよい。【００１９】  以下、図７を参照して、本発明の色調変換装置１００の第２の実施例である色調変換装置１００Ａを説明する。【００２０】  色調変換装置１００Ａは、撮影する画像の色調を変化させる。色調変換装置１００Ａは、本体１１０Ａと、可動保持機構１８０Ａとを有する。【００２１】  本体１１０Ａは、カラー透過部１３０Ａを有しており、撮影する画像の色調を変化させるとともに、カラー透過部１３０Ａを保護する機能をもつ。本体１１０Ａは、正面から眺めると円形状の形であり、保護部１１１と、結合部１１２とを有する。保護部１１１は、カラー透過部１３０Ａを保護する。そのため、保護部１１１は、カラー透過部１３０Ａとを覆うことができる形状である。本発明では、カラー透過部１３０Ａが円形状��あるため、保護部１１１も円形状に形成される。保護部１１１は、後述する可動保持機構１８０Ａを中心に３６０°回転可能に接続されている。結合部１１２は、一眼レフカメラなどの撮影装置のレンズ先端に嵌め込まれてカメラに固定する機能を有する。そのため、結合部１１２は、撮影装置のレンズ先端とは逆の凹凸形状を有する。【００２２】  カラー透過部１３０Ａは、撮影する画像の色調を変化させる。カラー透過部１３０Ａは、フレーム１３１Ａと、カラーレンズ１３６Ａとを有する。図７に示すカラー透過部１３０Ａは、一つであるが複数個有することも可能であり、説明の簡素化のため一つとする。フレーム１３１Ａは、カラーレンズ１３６Ａを回転可能に保持する。フレーム１３１Ａは、本実施例では、例えば、カラーレンズ１３６Ａの側面を囲むように固定している。そのためフレーム１３１Ａは、カラーレンズ１３６Ａの形状に依存して形成される。例えば、カラーレンズ１３６Ａが楕円形状であれば、かかる形状を固定するような形状になる。この固定とは、カラーレンズ１３６Ａの側面を囲むように固定する以外にも、一点または複数の点でカラーレンズ１３６Ａを固定する意味も含む。【００２３】  カラーレンズ１３６Ａは、撮影する被写体の色をレンズの色に補正する。本実施例において、カラーレンズ１３６Ａは、赤、緑及び黄色の三色のレンズを有している。素材には、光を透過できる素材であれば適応可能であり、その代表的な例としてプラスチック、ガラス及びフィルムなどがあげられる。本実施例では、カラーレンズ１３６Ａにプラスチック素材のカラーレンズ１３６Ａを用いており、カラーフィルタを用いる場合は、カラーフィルタに張力を与えて、引っ張るように固定する。【００２４】  可動保持機構１８０Ａは、本体１１０Ａを撮影装置に固定する。可動保持機構１８０Ａは、保護部１１１、結合部１１２及びカラー透過部１３０Ａの一部に形成される。かかる一部を中心に保護部１１１、結合部１１２及びカラー透過部１３０Ａは３６０°回転することができる。【００２５】  以下、図８を参照して、本発明の色調変換装置１００の第３の実施例である色調変換装置１００Ｂについて説明する。
色調変換装置１００Ｂは、本体１１０Ｂと、可動保持機構１８０Ｂとを有する。【００２６】  本体１１０Ｂは、カラー透過部１３０Ｂと、固定部１４０Ｂとを有しており、撮影する画像の色調を変化させるとともに、カラー透過部１３０Ｂを保護する機能をもつ。本体１１０Ｂは、正面から眺めると扇形状の形であり、扇の中心点１１５を中心としてカラー透過部１３０Ｂを回転可能に保持する。【００２７】  カラー透過部１３０Ｂは、撮影する画像の色調を変換する。カラー透過部１３０Ｂは、フレーム１３１Ｂと、カラーレンズ１３６Ｂとを有する。【００２８】  フレーム１３１Ｂは、カラーレンズ１３６Ｂを固定する機能を有し、本発明では扇形の形状を有する。かかる形状により、カラーレンズ１３６Ｂを保持する。また、フレーム１３１Ｂは、凸部１３３Ｂを有しており、かかる凸部１３３Ｂを円周方向に移動させることにより、カラー透過部１３０Ｂが移動する。カラーレンズ１３６Ｂは、撮影する被写体の色をレンズの色に補正する。本実施例において、カラーレンズ１３６Ｂは、赤、緑及び黄色の三色のレンズを有しているが適宜変更可能である。また、カラーレンズ１３６Ｂの素材は、光を透過できる素材であれば適応可能であり、その代表的な例としてプラスチック、ガラス及びフィルムなどがあげられる。本実施例は、カラーレンズ１３６Ｂにプラスチック素材のカラーレンズ１３６Ｂを用いており、カラーフィルタを用いる場合には、カラーフィルタに張力を与えて、引っ張るように固定する。かかるカラーフィルタを用いる場合は、カラーフィルタを巻いて収納することも可能である。【００２９】  固定部１４０Ｂは、カラー透過部１３０Ｂを本体１１０に移動可動に保持する。固定部１４０Ｂは、カラー透過部１３０Ｂの回転する軸となる。固定部１３０Ｂはカラー透過部１３０Ｂの回転軸の機能以外にカラー透過部１３０の落下を防止する機能を備えている。【００３０】  可動保持機構１８０Ｂは、本体１１０を撮影装置に固定する。可動保持機構１８０は、弾性接続部１８２Ｂと、固定板１８５Ｂとを有する。弾性接続部１８２Ｂは、本体１１０Ｂと固定板１８５Ｂとを弾性的に接続する。この場合、本発明では、弾性接続部１８２Ｂは、バネを用いており、本体１１０Ｂと固定板１８５Ｂとを開閉自在に接続されている。弾性接続部１８２Ｂは、その他の弾性部材も適用可能であり、弾性部材にゴムを用いてもよい。固定板１８５Ｂは、Ｌ字に形成されて、Ｌ字の一端を弾性接続部１８２Ｂを介して本体１１０Ｂに接続している。固定部１８５Ｂは撮影装置に接触する接触箇所１８１Ｂにスポンジなどの弾性素材を接触部分に配置してもよい。可動保持機構１８０Ｂは、弾性接続部１８２Ｂ及び固定部１８５Ｂを用いなくても、ゴムなどの弾性部材で撮影装置に直接、色調変換装置１００Ｂを固定してもよい。【００３１】  図９は、色調変換装置１００を撮影装置に内蔵した撮影装置１を示す斜視図である。撮影装置１は、可動保持機構１００を有するため、複数の異なった色のカラー透過材を短時間で変更することができる。それにより、シャッターチャンスなどに遭遇した場合でも、瞬時に色の調節を行い撮影することが可能となる。【００３２】  以上、本発明の好ましい実施態様���ついて説明したが、本発明は、これらの実施態様に限定されないことは言うまでもなく、その要旨の範囲内での種々の変形及び変更が可能である。
【発明の効果】
【００３３】  本発明の色調変換装置及びそれを用いた撮影装置によれば、即座に色の調整が可能で、小型化及び高い保護性を向上させることができる。この結果、高機能でありながらコンパクトな色調変換装置及びそれを用いた撮影装置を提供することができる。
【図面の簡単な説明】
【００３４】
【図１】  本発明の色調変換装置の第１の実施例を示す概略斜視図である。
【図２】  図１に示す色調変換装置の概略正面図である。
【図３】  図１に示す色調変換装置の概略背面図である。
【図４】  図１に示す色調変換装置の可動保持機構の移動を示す概略平面図である。
【図５】  図１に示す色調変換装置のカラー透過部を示す概略平面図である。
【図６】  本発明の色調変換装置を使用した撮影装置を示す概略斜視図である。
【図７】  図１に示す色調変換装置の第２の実施例を示す概略斜視図である。
【図８】  図１に示す色調変換装置の第３の実施例を示す概略斜視図である。
【図９】  本発明の色調変換装置を内蔵した撮影装置を示す概略斜視図である。
【符号の説明】
【００３５】１００        色調変換装置
１１０        本体
１３０        カラー透過部
１３１        フレーム
１３６        カラーレンズ
１４０        固定部
１５０        切り込み部
１８０        可動保持機構
１８２        弾性接続部
１８５        固定板
【図１】
2005043846.tif 000003
【図２】
2005043846.tif 000004
【図３】
2005043846.tif 000005
【図４】
2005043846.tif 000006
【図５】
2005043846.tif 000007
【図６】
2005043846.tif 000008
【図７】
2005043846.tif 000009
【図８】
2005043846.tif 000010
【図９】
2005043846.tif 000011